【手続補正書】
【提出日】平成17年11月30日(2005.11.30)
【手続補正１】
【補正対象書類名】特許請求の範囲
【補正対象項目名】全文
【補正方法】変更
【補正の内容】
【特許請求の範囲】
【請求項１】
複数の静止画ファイル及び音響ファイルを記録媒体に記録及び再生し、前記音響ファイルの再生時再生される音響ファイルリストを表示するプレイリスト画面を表示装置に提供する映像記録/再生装置において、
前記プレイリスト画面の所定第１領域には前記記録装置に記録された前記複数の静止画ファイルを交互に表示するよう支援する表示メニューが設けられ、
前記記録装置に記録された前記静止画ファイル及び前記音響ファイルをデコーディングするデコーダと、
デコーディングされた前記静止画ファイル及び前記音響ファイルが貯蔵されるメモリと、
該メモリに貯蔵された前記音響ファイルが再生される間前記表示メニューが選択されるときに、前記デコーダが遊休状態である間に前記記録媒体に記録された前記複数の静止画ファイルをデコーディングして前記メモリに貯蔵させ、貯蔵された前記少なくとも一つの静止画ファイルが前記プレイリスト画面の所定第２領域に交互に表示されるよう処理するメイン制御部とを含むことを特徴とする映像記録/再生装置。
【請求項２】
前記表示メニューが選択されるときに、前記メイン制御部は前記音響ファイル目録に表示された音響ファイルと同一なフォルダーに記録された前記複数の静止画ファイルがデコーディングされるよう更に処理することを特徴とする請求項１に記載の映像記録/再生装置。
【請求項３】
複数の静止画ファイル及び音響ファイルを記録媒体に記録及び再生して表示装置に提供する映像記録/再生装置の制御方法において、
前記記録媒体に記録された前記音響ファイルに対する再生命令を適用する段階と、
前記音響ファイルのリストを表示するプレイリスト画面を表示し、前記音響ファイルをデコーディングして貯蔵する段階と、
貯蔵された前記音響ファイルが再生される間、前記プレイリスト画面の所定第１領域に設けられ前記記録装置に記録された前記複数の静止画ファイルを交互に表示させる表示メニューが選択される段階と、
貯蔵された前記音響ファイルが再生される間前記記録装置に記録された前記静止画ファイルをデコーディングして貯蔵する段階と、
前記音響ファイルが再生される間貯蔵された前記静止画ファイルを前記プレイリスト画面の所定第２領域に交互に表示する段階とを含むことを特徴とする映像記録/再生装置の制御方法。
【請求項４】
前記プレイリスト画面の前記表示メニューが選択されるときに、前記複数の静止画ファイルの表示周期を設定する周期設定メニュー画面が表示される段階と、前記複数の静止画ファイルを設定された周期によって前記所定第２領域に交互に表示する段階とを更に含むことを特徴とする請求項３に記載の映像記録/再生装置の制御方法。
【請求項５】
前記メイン制御部は、記憶媒体に記録された複数の画像ファイルの中からユーザーにより選択されたファイルを表示又は再生することのできるランダムアクセスを、前記選択されたファイルを瞬時に読み込むことにより更に処理することを特徴とする、請求項１記載の映像記録／再生装置
【請求項６】
前記メイン制御部は、更に、記録媒体に記録された画像ファイルの名前を訂正し、ユーザーが所望のファイルを容易に検索することを可能にすることを特徴とする、請求項１記載の映像記録／再生装置。
【請求項７】
前記メイン制御部は、更に、動画としてファイルリストメニューで記録媒体に記録された複数の動画ファイルを再生及び表示し、ユーザーが前記記録媒体に記録された画像ファイルを容易に検索することを可能にすることを特徴とする、請求項１記載の映像記録／再生装置。
【請求項８】
前記メイン制御部は、更に、画像ファイルの種類により複数のアイコンと共に記録媒体に記録された画像ファイルのリスト表示し、前記画像ファイルの種類を明示することを特徴とする、請求項１記載の映像記録／再生装置。
【請求項９】
前記メイン制御部は、更に、記録媒体に記録された複数の画像ファイルを前記記録媒体への保存の目的で連続的に再生することを特徴とする、請求項１記載の映像記録／再生装置。
【請求項１０】
前記メイン制御部は、更に、画像ファイルを編集することを特徴とする、請求項１記載の映像記録／再生装置。
【請求項１１】
前記メイン制御部は、更に、動画を部分的に削除することを特徴とする、請求項１記載の映像記録／再生装置。
【請求項１２】
前記メイン制御部は、更に、プレイリストメニューを提供することにより、現在表示されているファイルが置かれているフォルダーをユーザーが認識できるようにすることを特徴とする、請求項１記載の映像記録／再生装置。
【請求項１３】
前記メイン制御部は、更に、記録媒体に記録された画像ファイルのＰｌａｙ  Ｌｉｓｔを画面上に表示し、表示された前記Ｐｌａｙ  Ｌｉｓｔを用いて前記画像ファイルを選択することを特徴とする、請求項１記載の映像記録／再生装置。
【請求項１４】
前記メイン制御部は、更に、音楽ファイルが再生される間に複数の多様な静止画ファイルを表示し、前記音楽再生と前記複数の多様な静止画ファイルとを同時に提供することを特徴とする、請求項１記載の映像記録／再生装置。
【請求項１５】
前記複数の多様な静止画ファイルは、スライドショーとして提供されることを特徴とする、請求項１４記載の映像記録／再生装置。
【請求項１６】
前記メイン制御部は、更に、複数のファイルを含む記録媒体が挿入されるときに、ファイルの種類とは無関係に前記複数のファイルを自動的に再生することを特徴とする、請求項１記載の映像記録／再生装置。
【請求項１７】
前記メイン制御部は、更に、音楽ＣＤの再生時に前記音楽ＣＤの補足情報を画面に表示し、ユーザーが前記音楽ＣＤの情報を得て、所望の曲を選択することを可能にすることを特徴とする、請求項１記載の映像記録／再生装置。
【請求項１８】
前記メイン制御部は、更に、光学式記録媒体に記録された複数のファイルが大容量磁気記録媒体に複製されるときに、同じファイル名を有する複数のファイルを読み飛ばして複製することを特徴とする、請求項１記載の映像記録／再生装置。
【請求項１９】
前記メイン制御部は、更に、ＣＤ−ＤＡ規格を有する音声データを圧縮して蓄積することを特徴とする、請求項１記載の映像記録／再生装置。
【請求項２０】
前記メイン制御部は、更に、所定の表示領域のサイズに基づいて静止画のサイズを順応して調整し、前記所定の表示領域に前記静止画を表示することを特徴とする、請求項１記載の映像記録／再生装置。
【請求項２１】
前記表示された静止画は、前記表示領域に適合するアスペクト比及び表示サイズのうち少なくとも一つを有するように提供されることを特徴とする、請求項２０記載の映像記録／再生装置。
【請求項２２】
前記メイン制御部は、更に、当該映像記録／再生装置により支援される機能をユーザーが容易に選択し、操作することができるようにするためのメニューを提供することを特徴とする、請求項１記載の映像記録／再生装置。
【請求項２３】
前記メイン制御部は、更に、時間遅延視聴機能の間に、外部から受信されたプログラムを連続的に記録する一方で、記録されたプログラムを最初から再生することを特徴とする、請求項１記載の映像記録／再生装置。
【請求項２４】
前記時間遅延視聴機能は、外部から受信されたプログラムが同時に記録及び再生を成されるような処理動作であることを特徴とする、請求項２３記載の映像記録／再生装置。
【請求項２５】
前記メイン制御部は、更に、ＤＶＤプログラムのタイトル名を自動的に取得し、前記ＤＶＤプログラムをＨＤＤに複製するときにユーザーデータ領域に前記取得されたタイトル名を記録することを特徴とする、請求項１記載の映像記録／再生装置。
【請求項２６】
前記メイン制御部、更に、夫々のファイルの少なくとも一つの属性に応じて、ポインタで分割されたＨＤＤの適切な位置に複数のファイルを蓄積し、蓄積された前記複数のファイルのサイズ及びメモリ領域の残りの容量のうち少なくとも一つを区別して表示することを特徴とする、請求項１記載の映像記録／再生装置。
【請求項２７】
前記メイン制御部は、関連するリンク情報を蓄積し、ＨＤＤにアイコンデータを蓄積し、アイコンが動かされる少なくとも一つのアニメーション効果を前記ＨＤＤに蓄積されたアイコンデータを用いることにより提供するフラッシュメモリを更に有することを特徴とする、請求項１記載の映像記録／再生装置。
【請求項２８】
前記メイン制御部は、更に、ファイルリストに表示するための特定のフォルダーのファイルを選択し、前記ファイルリストに更に表示するための他のフォルダー及び様々な形式の記録媒体のファイルを選択することを特徴とする、請求項１記載の映像記録／再生装置。
【請求項２９】
前記メイン制御部は、更に、音響ファイルリストの複数の音響ファイルが記録されているフォルダーに記録された複数の静止画ファイルをデコードするための処理を実行することを特徴とする、請求項１記載の映像記録／再生装置。
【請求項３０】
プレイリスト画面の表示メニューが選択されるときに周期設定メニュー画面を表示する段階を更に有し、
前記周期設定メニュー画面は、前記複数の静止画ファイルの表示周期を設定するために提供されることを特徴とする、請求項３記載の映像記録／再生装置の制御方法。
【請求項３１】
前記設定された周期に応じて所定第２領域に前記複数の静止画を表示する段階を更に有することを特徴とする、請求項３記載の映像記録／再生装置の制御方法。
【請求項３２】
記録媒体に記録された複数の画像ファイルの中からユーザーに取り選択されたファイルを、前記選択されたファイルを瞬時に読み込むことにより表示又は再生することのできるランダムアクセスを実行する段階を更に有することを特徴とする、請求項３記載の映像記録／再生装置の制御方法。
【請求項３３】
使用者が容易に所望のファイルを検索することができるように、記録媒体に記録された画像ファイルの名前を訂正する段階を更に有することを特徴とする、請求項３記載の映像記録／再生装置の制御方法。
【請求項３４】
使用者が記録媒体に記録された画像ファイルを容易に検索することができるように、動画としてファイルリストで前記記録媒体に記録された複数の動画ファイルを再生及び表示する段階を更に有することを特徴とする、請求項３記載の映像記録／再生装置の制御方法。
【請求項３５】
画像ファイルの種類により複数のアイコンと共に記録媒体に記録された画像ファイルのリストを表示して、前記画像ファイルの種類を明示する段階を更に有することを特徴とする、請求項３記載の映像記録／再生装置の制御方法。
【請求項３６】
記録媒体に記録された複数の画像ファイルを前記記録媒体への保存の目的で連続的に再生する段階を更に有することを特徴とする、請求項３記載の映像記録／再生装置の制御方法。
【請求項３７】
画像ファイルを編集する段階を更に有することを特徴とする、請求項３記載の映像記録／再生装置の制御方法。
【請求項３８】
動画を部分的に削除する段階を更に有することを特徴とする、請求項３記載の映像記録／再生装置の制御方法。
【請求項３９】
プレイリストメニューを提供することにより、現在表示されているファイルが置かれているフォルダーをユーザーが認識できるようにする段階を更に有することを特徴とする、請求項３記載の映像記録／再生装置の制御方法。
【請求項４０】
記録媒体に記録された画像ファイルのＰｌａｙ  Ｌｉｓｔを画面上に表示し、表示された前記Ｐｌａｙ  Ｌｉｓｔを用いて前記画像ファイルを選択する段階を更に有することを特徴とする、請求項３記載の映像記録／再生装置の制御方法。
【請求項４１】
音楽ファイルが再生される間に複数の多様な静止画ファイルを表示し、前記音楽再生と前記複数の多様な静止画ファイルとを同時に提供する段階を更に有することを特徴とする、請求項３記載の映像記録／再生装置の制御方法。
【請求項４２】
前記複数の多様な静止画ファイルをスライドショーとして提供する段階を更に有することを特徴とする、請求項４１記載の映像記録／再生装置の制御方法。
【請求項４３】
複数のファイルを含む記録媒体が挿入されるときに、ファイルの種類とは無関係に前記複数のファイルを自動的に再生する段階を更に有することを特徴とする、請求項３記載の映像記録／再生装置の制御方法。
【請求項４４】
音楽ＣＤの再生時に前記音楽ＣＤの補足情報を画面に表示し、ユーザーが前記音楽ＣＤの情報を得て、所望の曲を選択することを可能にする段階を更に有することを特徴とする、請求項３記載の映像記録／再生装置の制御方法。
【請求項４５】
光学式記録媒体に記録された複数のファイルが大容量磁気記録媒体に複製されるときに、同じファイル名を有する複数のファイルを読み飛ばして複製する段階を更に有することを特徴とする、請求項３記載の映像記録／再生装置の制御方法。
【請求項４６】
ＣＤ−ＤＡ規格を有する音声データを圧縮して蓄積する段階を更に有することを特徴とする、請求項３記載の映像記録／再生装置の制御方法。
【請求項４７】
所定の表示領域のサイズに基づいて静止画のサイズを順応して調整する段階と、
前記所定の表示領域に前記静止画を表示する段階とを更に有することを特徴とする、請求項３記載の映像記録／再生装置の制御方法。
【請求項４８】
前記表示された静止画は、前記表示領域に適合するアスペクト比及び表示サイズのうち少なくとも一つを有するように提供されることを特徴とする、請求項４７記載の映像記録／再生装置の制御方法。
【請求項４９】
当該映像記録／再生装置により支援される機能をユーザーが容易に選択し、操作することができるようにするためのメニューを提供する段階を更に有することを特徴とする、請求項３記載の映像記録／再生装置の制御方法。
【請求項５０】
時間遅延視聴機能の間に、外部から受信されたプログラムを連続的に記録する一方で、記録されたプログラムを最初から再生する段階を更に有することを特徴とする、請求項３記載の映像記録／再生装置の制御方法。
【請求項５１】
前記時間遅延視聴機能は、外部から受信されたプログラムが同時に記録及び再生を成されるような処理動作であることを特徴とする、請求項５０記載の映像記録／再生装置の制御方法。
【請求項５２】
ＤＶＤプログラムのタイトル名を自動的に取得する段階と、
前記ＤＶＤプログラムをＨＤＤに複製するときにユーザーデータ領域に前記取得されたタイトル名を記録する段階とを更に有することを特徴とする、請求項３記載の映像記録／再生装置の制御方法。
【請求項５３】
夫々のファイルの少なくとも一つの属性に応じて、ポインタで分割されたＨＤＤの適切な位置に複数のファイルを蓄積する段階と、
蓄積された前記複数のファイルのサイズ及びメモリ領域の残りの容量のうち少なくとも一つを区別して表示する段階とを更に有することを特徴とする、請求項３記載の映像記録／再生装置の制御方法。
【請求項５４】
関連するリンク情報を蓄積する段階と、
ＨＤＤにアイコンデータを蓄積する段階と、
アイコンが動かされる少なくとも一つのアニメーション効果を前記ＨＤＤに蓄積されたアイコンデータを用いることにより提供する段階とを更に有することを特徴とする、請求項３記載の映像記録／再生装置の制御方法。
【請求項５５】
ファイルリストに表示するための特定のフォルダーのファイルを選択する段階と、
前記ファイルリストに更に表示するための他のフォルダー及び様々な形式の記録媒体のファイルを選択する段階とを更に有することを特徴とする、請求項３記載の映像記録／再生装置の制御方法。
【請求項５６】
前記表示メニューが選択されるときに、音響ファイルリストの複数の音響ファイルが記録されているフォルダーに記録された複数の静止画ファイルをデコードするための処理を実行する段階を更に有することを特徴とする、請求項３記載の映像記録／再生装置の制御方法。
【請求項５７】
記録媒体に記録された複数の画像ファイルを記録、再生及び編集するための映像記録／再生装置において、
デジタル式音声命令信号のうち少なくとも一つを受信し、該信号を画像ファイルとして記録、再生及び編集するために中央演算処理装置（ＣＰＵ）及びＭＰＥＧエンコーダを有するメイン制御部と、
受信チャネルを介して少なくとも一つのデジタル式音声信号を受信するように前記メイン制御部に電気的に結合され、複数の端子を有する入出力端子部と、
前記メイン制御部により指示された少なくとも一つの受信チャネルを調整するように前記入出力端子部に電気的に結合されたチューナーと、
前記入出力端子部の前記複数の端子から選択された端子を制御するように前記入出力端子部に電気的に結合された入出力制御部及びスイッチング部と、
音声信号及び映像信号のうち少なくとも一つをエンコーダするように前記メイン制御部に電気的に結合されたＭＰＥＧエンコーダと、
映像信号をデコードして前記ＭＰＥＧエンコーダに出力するように前記入出力端子部に電気的に結合されたビデオデコーダと、
映像信号をエンコードして前記入出力端子部に出力するように前記入出力端子部に電気的に結合されたビデオエンコーダと、
デジタル式音声信号を変換して前記ＭＰＥＧエンコーダに出力するように前記スイッチング部に電気的に結合された音声アナログ／デジタル（Ａ／Ｄ）変換器と、
デジタル式音声信号を変換して前記スイッチング部に出力するように前記スイッチング部に電気的に結合された音声デジタル／アナログ（Ｄ／Ａ）変換器と、
前記メイン制御部により指示された再生及び記録の動作のうち少なくとも一つを管理するように前記ＭＰＥＧエンコーダに電気的に結合されたデータ管理部と、
データを受信及び蓄積するために前記データ管理部に電気的に結合されたＨＤＤ大容量記憶装置と、
記録及び再生の動作のうち少なくとも一つを実行するように前記データ管理部を介して前記ＨＤＤ大容量記憶装置に電気的に結合されたディスクプレーヤと、
前記メイン制御部により使用される複数の動作を蓄積するグラフィックユーザーインターフェース蓄積部を有し、前記メイン制御部に電気的に結合されたフラッシュメモリと、
少なくとも一つの操作信号を受信するように前記メイン制御部に電気的に結合された受光部と、
エンコード動作の間に使用されるメモリを提供するように前記ＭＰＥＧエンコーダに電気的に結合された第一のＳＤＲＡＭと、
一時保存メモリを提供するように前記メイン制御部に電気的に結合された第二のＳＤＲＡＭとを有することを特徴とする映像記録／再生装置。
【請求項５８】
前記入出力端子部は、スーパービデオ入力端子、スーパービデオ出力端子、ＲＦ入力端子、ＲＦ出力端子、ラインビデオ／オーディオ入力端子、ラインビデオ／オーディオ出力端子、及びデジタルオーディオ出力端子のうち少なくとも一つを有することを特徴とする、請求項５７記載の映像記録／再生装置。
【請求項５９】
複数の記録された静止画ファイルが表示装置上のプレーリスト画面の所定第１領域に交互に表示されるような表示メニュー信号出力と、
前記表示メニューが蓄積された音響ファイルの再生中に選択されるときに、前記複数の記録された静止画ファイルは、デコーダが遊休状態である間にデコードされて蓄積され、前記蓄積された画像ファイルの中の一以上のファイルは、前記表示装置上のプレーリスト画面の所定第２領域に交互に表示されるような表示メニュー信号出力とを更に有することを特徴とする、請求項５７記載の映像記録／再生装置。
【請求項６０】
再生、編集及び削除の動作のうち少なくとも一つに対して前記表示メニューを介してユーザーにより選択されたファイルを表示する信号出力を更に有することを特徴とする、請求項５９記載の映像記録／再生装置。
【手続補正２】
【補正対象書類名】明細書
【補正対象項目名】０４３７
【補正方法】変更
【補正の内容】
【０４３７】
【図１】本発明に係る映像記録/再生装置が適用されるディスプレイシステムを示す図である。
【図２】図１の映像記録/再生装置のブロック図である。
【図３】図２のＨＤＤの貯蔵空間の分割例を示す図である。
【図４】図１の遠隔制御器を示す図である。
【図５】図４のメニューキーが選択された時、テレビに表示される初期メニュー画面を示す図である。
【図６】Digital  Recorderメニュー項目のサブメニュー画面を示す図である。
【図７】Editメニュー項目のサブメニュー画面を示す図である。
【図８】Juke  Boxメニュー項目のサブメニュー画面を示す図である。
【図９】Photo  Albumメニュー項目のサブメニュー画面を示す図である。
【図１０】図６に示されたProgram  Listメニュー項目を選択した場合にテレビに表示されるメニュー画面を示す図である。
【図１１】図８に示されたHDD  Playlistメニュー項目を選択した場合にテレビに表示されるメニュー画面を示す図である。
【図１２】図１１に示されたMP３フォルダーを選択した場合にテレビに表示されるメニュー画面を示す図である。
【図１３】本発明の第１実施例による、ランダムアクセスが可能な映像記録/再生装置の制御方法の説明に提供されるフローチャートである。
【図１４】本発明の第１実施例による、ランダムアクセスが可能な映像記録/再生装置の制御方法の説明に提供されるフローチャートである。
【図１５】図１０のメニュー画面が表示された時、図４のテキストキーを選択した場合にテレビに表示されるメニュー画面を示す図である。
【図１６】図１５の仮想入力メニューの入力ウィンドウに修正ファイル名を入力した場合を示す図である。
【図１７】ファイル名の修正による結果を示す図である。
【図１８】図８に示されたHDD  Editメニュー項目を選択した場合にテレビに表示されるメニュー画面を示す図である。
【図１９】本発明の第２実施例による、記録媒体に記録された映像ファイルのファイル名を修正できる映像記録/再生装置の制御方法の説明に提供されるフローチャートである。
【図２０】本発明の第３実施例による、記録媒体に記録された動映像ファイルをファイルリスト画面上に動映像で再生して表示できる映像記録/再生装置の制御方法の説明に提供されるフローチャートである。
【図２１】図６に示されたProgram  Listメニュー項目を選択した場合にテレビに表示されるメニュー画面の他の例を示す図である。
【図２２】本発明の第４実施例による、記録媒体に記録された映像ファイルのファイルリストを表示するにあたって、映像ファイルの種類によるアイコンを共に表示できる映像記録/再生装置の制御方法の説明に提供されるフローチャートである。
【図２３】本発明の第５実施例による、記録媒体に記録された映像ファイルを貯蔵されている順序によって連続的に再生できる映像記録/再生装置の制御方法の説明に提供されるフローチャートである。
【図２４】Divideメニューの説明に提供される図である。
【図２５】Divideメニューの説明に提供される図である。
【図２６】Divideメニューの説明に提供される図である。
【図２７】Divideメニューの説明に提供される図である。
【図２８】Partial  Deleteメニューの説明に提供される図である。
【図２９】Partial  Deleteメニューの説明に提供される図である。
【図３０】部分削除される動映像ファイルを説明するための図である。
【図３１】本発明の第７実施例による、動映像ファイルについて部分削除の可能な映像記録/再生装置の制御方法の説明に提供されるフローチャートである。
【図３２】図８に示されたHDD  Playlistメニュー項目を選択した場合にテレビに表示されるメニュー画面の他の例を示す図である。
【図３３】図３２のBeatlesフォルダーが選択された時後続して表示されるメニュー画面を示す図である。
【図３４】図９に示めされたHDD  Playlistメニュー項目を選択した場合にテレビに表示されるメニュー画面を示す図である。
【図３５】図３４のFlowerフォルダーが選択された時後続して表示されるメニュー画面を示す図である。
【図３６】本発明の第８実施例による、映像ファイルが記録されたフォルダー名をユーザが容易に認知できるよう構図されたプレイリスト画面を提供する映像記録/再生装置の制御方法の説明に提供されるフローチャートである。
【図３７】図３２のBeatlesフォルダーが選択された時、後続して表示されるメニュー画面を示す図である。
【図３８】図３７のファイルリストで遠隔制御器を操作してカーソルが移動したファイルリストが表示されたメニュー画面を示す図である。
【図３９】図３７のファイルリストで遠隔制御器を操作してファイルリストの次頁が表示されたメニュー画面を示す図である。
【図４０】ファイルリストの最後頁が表示されたメニュー画面を示す図である。
【図４１】図３７のファイルリストを表示するための映像記録/再生装置のファイルリスト表示方法の説明に提供されるフローチャートである。
【図４２】本発明の第９実施例による、記録媒体に記録された映像ファイルのプレイリストを画面に表示し、表示されたプレイリストを用いて容易で迅速にファイルを選択できる映像記録/再生装置の制御方法の説明に提供されるフローチャートである。
【図４３】図８に示されたHDD  Playlistメニュー項目を選択した場合にテレビに表示されるメニュー画面の他の例を示す図である。
【図４４】図４３の音響ファイルリストのうち選曲された音響ファイルリストが表示されたメニュー画面を示す図である。
【図４５】図４４に示されたスライドショーメニューが選択された時後続して表示される周期設定メニューが表示されたメニュー画面を示す図である。
【図４６】フルスクリーンのスライドショーの説明に提供される図である。
【図４７】本発明の第１０実施例による、音楽ファイルが再生される間多様な静止画ファイルをディスプレイするスライドショー機能を有する映像記録/再生装置の制御方法の説明に提供されるフローチャートである。
【図４８】本発明の第１１実施例による、自動再生の可能なファイルが記録された記録媒体が挿入されればファイルの種類を問わず自動再生されるようにする自動再生が可能な映像記録/再生装置の制御方法の説明に提供されるフローチャートである。
【図４９】ディスクプレーヤにディスクが挿入された時、テレビに表示されるファイルリストメニュー画面を示す図である。
【図５０】ディスクプレーヤにディスクが挿入された時、テレビに表示される自動再生リストメニュー画面を示す図である。
【図５１】ディスクプレーヤにディスクが挿入される時、テレビに表示されるファイルリストメニュー画面のさらに他の例を示す図である。
【図５２】図８に示されたCD  Playlistメニュー項目を選択した場合にテレビに表示されるメニュー画面を示した図である。
【図５３】図８に示されたCD  Copy  to  HDDメニュー項目を選択した場合にテレビに表示されるメニュー画面を示す図である。
【図５４】図５３に示されたMP３フォルダーを選択した場合にテレビに表示されるメニュー画面を示す図である。
【図５５】図５４において複写対象ファイル及び複写メニューを選択した場合にテレビに表示されるメニュー画面を示した図である。
【図５６】図５５の実行メニューが選択され複写作業が行なわれる時、複写進行状態表示画面が表示されたメニュー画面を示す図である。
【図５７】複写進行中、ＨＤＤに複写対象ファイルと同一なファイルが存在する場合、ファイルを複写するか否かをユーザが選択できるようにするメッセージが表示されたメニュー画面を示す図である。
【図５８】図８に示されたCD  Copy  to  HDDメニュー項目を選択した場合にテレビ画面に表示されるメニューの他の例を示す図である。
【図５９】図５８に示されたＨＤＤの下位フォルダー及びＣＤの下位フォルダーが選択された時、後続して表示される音響ファイルリストが表示されたメニュー画面を示す図である。
【図６０】本発明の第１３実施例による、光記録媒体に記録されたファイルを大容量の磁気記録媒体で複写する時、同一ファイル名を有するファイルについてはスキップして複写できる映像記録/再生装置の制御方法の説明に提供されるフローチャートである。
【図６１】本発明の第１４実施例による、ＣＤ-ＤＡ規格を有するオーディオデータを圧縮貯蔵できる映像記録/再生装置の制御方法の説明に提供されるフローチャートである。
【図６２】図８に示されたCD  Copy  to  HDDメニュー項目を選択した場合にテレビに表示されるメニュー画面のさらに他の例を示す図である。
【図６３】図９に表示されたＨＤＤプレイリストメニュー項目を選択した場合にテレビに表示されるメニュー画面の他の例を示す図である。
【図６４】図６３に示された静止画ファイルリストのうち選択された静止画ファイルに対する静止映像が表示されたメニュー画面を示す図である。
【図６５】本発明の第１５実施例による、静止画ファイルを所定の表示領域に表示する場合、所定の表示領域の画面サイズに基づき静止映像の画面サイズを適応的に調整して表示できる映像記録/再生装置の制御方法の説明に提供されるフローチャートである。
【図６６】図４のメニューキーが選択される時、テレビに表示される初期メニュー画面の他の例を示した図である。
【図６７】図８に示されたHDD  Playlistメニュー項目を選択した場合にテレビに表示されるメニュー画面のさらに他の例を示す図である。
【図６８】図６７に示されたファイルリストのうち選択されたファイルに対するリストが表示されたメニュー画面を示す図である。
【図６９】本発明の第１６実施例による、ユーザが映像記録/再生装置で支援する機能を容易に選択及び操作できるようにするメニュー画面を提供する映像記録/再生装置の制御方法の説明に提供されるフローチャートである。
【図７０】図２に示されたハードディスクドライブの論理的な構造を概略的に示す図である。
【図７１】セットアップメニュー項目のサブメニュー画面を示す図である。
【図７２】図２のハードディスクドライブに臨時記録された映像/音響信号を再生するための方法を説明するためのフローチャートである。
【図７３】ＤＶＤディスクの一般のデータ構造を示す図である。
【図７４】本発明の一実施例によるタイトル自動設定方法を説明するためのフローチャートである。
【図７５】図６に示されたプログラムリストが選択された時画面にディスプレイされるメニュー画面を示す図である。
【図７６】本発明に係ってポインターで指定され分割されたハードディスクドライブを示す図である。
【図７７Ａ】絵及びサウンドファイルの容量及び分割された記憶領域の残量をディスプレイする図である。
【図７７Ｂ】動映像ファイルの容量及び分割された記憶領域の残量をディスプレイする図である。
【図７８】本発明による動映像の貯蔵された容量及び分割された記憶領域の残量をディスプレイする過程を説明するためのフローチャートである。
【図７９】本発明に係る絵及びサウンドファイルの貯蔵された容量及び分割された記憶領域の残量をディスプレイする過程を説明するためのフローチャートである。
【図８０】本発明の一実施例によるムービングアイコン表示方法を説明するためのフローチャートである。
【図８１】ムービングアイコン表示方法を行なう過程を説明するためのユーザインタフェースを示す図である。
【図８２Ａ】先入−先出メモリに第１ファイルが貯蔵され、引き続き第２ファイルが貯蔵されることを説明するための図である。
【図８２Ｂ】先入−先出メモリに第１ファイルが貯蔵され、引き続き第２ファイルが貯蔵されることを説明するための図である。
【図８３Ａ】第１ファイルが選択され貯蔵及びディスプレイされ、引き続き第２ファイルが選択され貯蔵及びディスプレイされることを説明するための図である。
【図８３Ｂ】第１ファイルが選択され貯蔵及びディスプレイされ、引き続き第２ファイルが選択され貯蔵及びディスプレイされることを説明するための図である。
【図８３Ｃ】第１ファイルが選択され貯蔵及びディスプレイされ、引き続き第２ファイルが選択され貯蔵及びディスプレイされることを説明するための図である。
【図８３Ｄ】第１ファイルが選択され貯蔵及びディスプレイされ、引き続き第２ファイルが選択され貯蔵及びディスプレイされることを説明するための図である。
【図８４】本発明によって第１ファイルを選択及びディスプレイし、引き続き第２ファイルを前記第１ファイルに追加して選択及びディスプレイする過程を説明するフローチャートである。